(57)【要約】本発明は微量排出式排気ガス処理装置を提供し、当該装置が入口だけを有する容器であり、当該容器の内部に排気ガス入口から順番に少なくとも二つのランクの交換セグメントが設けられてあり、その間のお互いに接続されるところに気室が設けられてあり、第一ランクの交換セグメントの交換気室の上部には大気と通じ合う貫通孔が設けられてある。この構造により、排気ガスが交換セグメントに入ったら、内部に噴射して強烈な巻き込み効果を形成し、気室に真空させて、また大気貫通孔から大気の酸素を吸入し、この高圧気体を通して次の気室で可燃気体を激しく燃焼し、残った排気ガスを次のランクの交換セグメントに伝送する時、排気ガスに非常に高速的な回転を生じさせて、運動量の交換を行う。負圧が高くなるほど、吸収される気体が多くなり、これによって微量排出乃至ゼロ排出を図る。
2009521645.tif 000002
【特許請求の範囲】
【請求項１】
輸入口だけを有する容器であり、当該容器の内部には排気ガス輸入口（１）から順番に少なくとも二つのランクの交換セグメント（２）が設置されてあり、一つのランクあたりの交換セグメントに少なくとも一つの噴射孔（２１）とそれと対応する拡散孔（２２）が設けられ、噴射孔（２１）と拡散孔（２２）の間接続処にお互いに通じあう交換気室（２３）が設けられ、第一ランクの交換セグメント（２）の交換気室（２３）の上部には大気と通じ合う貫通孔（２４）が設けられ、一つのランクあたりの交換セグメント（２）の接続処に各ランクの交換セグメントがお互いに通じ合う混合気室（３）が設けられ、最終のランクの交換セグメント（２）の混合気室（３）の間に排気管（６）が設けられることを特徴とする微量排出式排気ガス処理装置。
【請求項２】
第三ランクから最終のランクまでの交換セグメント（２）の交換気室（２３）の間又は交換気室（２３）と混合気室（３）の間にはお互いに通じ合う負圧管（５）が設けられることを特徴とする請求項１に記載の微量排出式排気ガス処理装置。
【請求項３】
交換セグメント（２）の噴射孔（２１）は層流噴射孔に切り替えられることができることを特徴とする請求項１または２に記載の微量排出式排気ガス処理装置。
【発明の詳細な説明】
【発明の詳細な説明】
【０００１】
〔技術分野〕
本発明は排気ガス汚染の予防管理装置に関し、特に微量排出式排気ガス処理装置に関する。
【０００２】
〔背景技術〕
従来技術の中には排気ガス汚染予防の方法が様々あり、たとえば自動車の排気ガスの処理では、燃料とバッテリーの結合により、排気ガスの排出量を減少し、汚染の減少を図る。しかし、廃棄バッテリーの再処理技術の未熟で二次汚染の恐れが確実に存在してある。また、電気制御ガソリン噴射に三元触媒浄化装置を付ける方法も利用されている。こんな従来技術は自動車排気ガス排出を管理する面で中国政府が目下多く普及にしている重要手段である。三元触媒浄化器とは外部浄化装置であり、プラチナ、ロジウム、パラディオン三種の金属元素からなっていて、ハチの巣型の吸収構造で、自動車のエンジンが高速で回転して、温度が700~800℃まで上昇する時、三種の元素は化学反応を生じ、自動車の排気ガスを有効に吸収し、排気ガスのCO、HC、NOXの含有量を減少することによって、国家が定めている排出基準に達する。三元触媒浄化装置はただ外部浄化装置であり、自動車エンジン標準制御空燃比と燃油の霧化の完全化に多く影響されるので、電気制御ガソリン噴射装置に一旦故障が出る限り、例えば酸素センサー、制御スイッチ、ガス補給弁などが壊れた時、三元触媒浄化装置がすぐにに失効し、機能が失う。それとともに、三元触媒浄化装置のハチ巣型構造は塞ぎやすく、一旦飽和状態になると、浄化の役目が失うので、常に新品で取り替える必要があるので、消費者の負担を増やす（通常の使用寿命は90日間以内とする）。それで、三元触媒浄化器はただ自動車の排気ガスの汚染の軽減の目的に達成できるが、根本的な問題を解決することができない。
【０００３】
本発明は排気ガスの排出を大いに減少できる微量排出式排気ガス処理装置を提供することを目的とする。
【０００４】
上述の目的に達成するため、本発明は微量排出式排気ガス処理装置を提供し、当該装置が入口だけを有する容器であり、当該容器の内部に排気ガス入口から順番に少なくとも二つランクの交換セグメントが設置されてあり、一つのランクあたりの交換セグメントに少なくとも一つの噴射孔とそれと対応する拡散孔が設けられ、噴射孔と拡散孔の間接続処にお互いに通じあう交換気室が設けられ、第一ランクの交換セグメントの交換気室の上部には大気と通じ合う貫通孔が設けられ、一つランクあたりの交換セグメントの接続処に各ランクの交換セグメントがお互いに通じ合う混合気室が設けられ、最後のランクの交換セグメントの混合気室の間に排気管を設置する。
【０００５】
本発明の改善案では、上述された微量排出式排気ガス処理装置であり、第三ランクから最終のランクまでの交換セグメントの交換気室の間又は交換気室と混合気室の間にはお互いに通じ合う負圧管を設置する。
【０００６】
本発明のもう一つの改善案では、上述された微量排出式排気ガス処理装置であり、交換セグメントの噴射孔を層流噴射孔に切り替えることができる。
【０００７】
この構造により、装置の入口に一定の圧力の排気ガスが入り、当該排気ガスが交換セグメントに入ったら、内部に噴射して強烈な巻き込み効果を形成し、気室に真空させて、また大気貫通孔から大気の酸素を吸入し、この高圧気体を通して次の気室で可燃気体を激しく燃焼し、可燃物と有害物質を燃焼し分解させ、且つ残った排気ガスを次のランクの交換セグメントに伝送する時、気室の負圧を通し、負圧孔のフィードバック作用で排気ガスに非常に高速的な回転を生じさせて、負圧によって生じる負能と排気ガスの作動能率はお互いに相殺することにより、強烈的な回転を生じる。強烈なパイルアップで運動量の交換を行って、気体のブラックホール現象が発生する。負圧が高くなるほど、吸収される気体が多くなり、吸収されていないわずか微量の気体は排気管を通して排出され、大気への汚染を大いに低減する。負圧が高くなるほど、吸収される気体が多くなり、これによって微量排出乃至ゼロ排出を図る。
【０００８】
〔図面の簡単な説明〕
図１は本発明に係る詳細実施例の構造見取り図である。
【０００９】
図２は本発明に係る噴射孔のの構造見取り図である。
【００１０】
図３は本発明に係る層流噴射孔の構造見取り図である。
【００１１】
図４は図１におけるＡ−Ａ間の断面図である。
【００１２】
図５は図１におけるＢ−Ｂ間の断面図である。
【００１３】
〔実施例〕
図１〜図５に開示された通りの微量排出式排気ガス処理装置であり、当該装置は輸入口だけを有する容器であり、当該容器の内部には排気ガス輸入口１から順番に少なくとも１３のランクの交換セグメント２が設置されており、一つのランクあたりの交換セグメントに少なくとも一つの噴射孔２１とそれと対応する拡散孔２２が設けられ、噴射孔２１と拡散孔２２の接続処にお互いに通じあう交換気室２３が設けられ、第一ランクの交換セグメント２の交換気室２３の上部には大気と通じ合う貫通孔２４が設けられ、一つランクあたりの交換セグメント２の接続処に各ランクの交換セグメントがお互いに通じ合う混合気室３が設けられ、最終のランクの交換セグメント２の混合気室３の間に排気管６が設けられ、第十一ランクの交換セグメント２の混合気室３と第三ランクの交換セグメント２の交換気室２３の間にはお互いに通じ合う負圧管５が設けられ、第九ランクの交換セグメント２の混合気室３と第八ランクの交換セグメント２の交換気室２３の間にはお互いに通じ合う負圧管５が設けられ、第三ランクから第七ランクまでの交換セグメント２の混合気室３と当該ランクの交換気室２３の間にはお互いに通じ合う負圧管５が設けられ、交換セグメント２の噴射孔２１を層流噴射孔に切り替えることができる。
【００１４】
特許請求の範囲によってｍ第一ランクの交換セグメント２は幾つかの並列連結方式を採用することができ、且つ第Ｎランクの交換セグメント２は混合気室３に合流することができ、かつ混合気室３で再度分流することもでき、こんな様様の変化を通して、すべて気体を吸収し、微量排出が図られる。
【００１５】
本発明はサンプルを成功的にに産出して、検定によって非常に微量な排気ガスが排出されることが分かる。
【図面の簡単な説明】
【００１６】
【図１】本発明に係る詳細実施例の構造見取り図である。
【図２】本発明に係る噴射孔の構造見取り図である。
【図３】本発明に係る層流噴射孔の構造見取り図である。
【図４】図１におけるＡ−Ａ間の断面図である。
【図５】図１におけるＢ−Ｂ間の断面図である。
【図１】
2009521645.tif 000003
【図２】
2009521645.tif 000004
【図３】
2009521645.tif 000005
【図４】
2009521645.tif 000006
【図５】
2009521645.tif 000007
【国際調査報告】
2009521645.tif 000008
2009521645.tif 000009
2009521645.tif 000010
2009521645.tif 000011
2009521645.tif 000012
2009521645.tif 000013